(57)【要約】【課題】銀のような比較的柔らかい素材を用いた洒落たデザインの複数のバックルを時に応じて付け替えて着用する際、道具を使わず容易にベルトとバックルを連結、分離でき、かつ、着用したとき、バックルの表面がボディー面とほぼ平行になるようなファッション上好ましい結合方式が、従来なかった。【解決手段】本考案は、バックル板１に設けた連結ピン３にベルト５に開けた連結穴６をはめ込み連結し、押え棒４が両者の連結状態を保つことによって日常の取り扱いでは両者が分離せず、連結、分離時にはベルト５の連結端を撓ませるだけで連結ピン３と連結穴６とのはめ外しができるように連結ピン３と押え棒４を配置した点に特徴がある。【効果】本考案によって、ベルトとバックルが簡単に連結、分離でき、かつ、着用時バックル表面がボディー面にほぼ平行になり見た目にもスマートなものとなった。今後はバックルが男性ファッションの中心として採り上げられる可能性がある。【選択図】図２
0003132969.tif 000002
【実用新案登録請求の範囲】
【請求項１】
バックルの留めピンをベルト穴に差し込んで着用する方式のベルトとバックルの組み合わせにおいて、ベルトとバックルを容易に連結したり分離したりすることができ、かつ、両者を連結した状態において、日常の扱いではベルトとバックルが分離しないよう配置した連結ピンと押え棒を設けたことを特徴とするバックル
【考案の詳細な説明】
【技術分野】
【０００１】本考案は、衣装用ベルトの留め金としてのバックルに関する。
【背景技術】
【０００２】バックルの留めピンを革ベルトのベルト穴に差し込んで着用する方式のベルトとバックルの組み合わせにおいて、ベルトとバックルをそれぞれ一対一の固有の組み合わせではなく夫々任意に選んだもの同士を組み合わせて用いる場合、ベルトにバックルを連結する方法としては、通常、二つ折りの革帯を使いその折曲げ部にバックル付け根に設けた連結棒の部分を入れ、残余の部分でベルトを挟み、二つ折り帯の自由端に近い位置でベルトを通して貫通穴をあけ、ねじを挿入して連結する方法が用いられる。
【考案の開示】
【考案が解決しようとする課題】
【０００３】銀のような比較的柔らかい素材を用いた洒落たデザインの複数のバックルを用意し、時に応じて付け替えて着用する際、道具を使わず簡単にベルトとバックルを連結、分離でき、かつ、着用したとき、バックルの表面がボディー面とほぼ平行になるようなファッション上好ましい連結法が、従来方式には見られない。【０００４】従来から用いられている二つ折りの革帯とねじを用いた連結方式では、ベルトにバックルを連結したり、分離したりする場合、ねじを回す工具類が必要であり、また、連結部の厚さがバックル付の丸棒と二つ折りの革帯分だけ厚くなり、バックルの表面がボディー面に平行にはならない。
【課題を解決するための手段】
【０００５】本考案は、バックルに設けた連結ピンに、ベルトに開けた連結穴をはめ込むことによってベルトとバックルを連結させ、押え棒が両者の連結状態を保つよう作用することによって日常の扱いではベルトとバックルが分離せず、両者を連結したり、分離したりする時にはベルトの連結端を撓ませて連結ピンと連結穴とのはめ外しができるように連結ピンと押え棒を配置したところに特徴がある。
【考案の効果】
【０００６】ベルトとバックルの連結、分離にあたって、工具類を必要としない。【０００７】ベルトへのバックルの連結、分離は、ベルトを身体に着用した状態でも可能である。従って、空港などで金属探知機の検査を受ける場合、ベルトを外すことなく、バックルだけ外して金属探知機を通ることができる。【０００８】本考案による連結方式を用いる場合、連結に必要な道具立てが全てバックル側に用意されており、ベルトには連結穴を開けるだけでよい。【０００９】複数のベルトと、複数のバックルを用意した場合、服装に合わせて任意の組み合わせを選び簡単に連結し着用できるため、ファッション上のメリットが大きい。バックルは身体の中心の非常に目立つ位置に着用されるため、洒落たデザインのバックルが簡単に付け替えられることになれば、バックルが男のファッションの目玉となる可能性を秘めている。【００１０】本考案の連結方式では、連結部に押え棒の厚みが加わるだけで、バックル表面はボディー面にほぼ平行であり、見た目にスマートで、ファッション性が高い。
【考案を実施するための最良の形態】
【００１１】図２において、バックル板１の裏面中央付近に仕切り板９を取り付けた連結ピン枠７を設け、仕切り板９とバックル板１の間にベルト５が通せる空間を持たせ、仕切り板９の上部中央に連結ピン３を取り付ける。ベルト５には連結端から少し内側の中心位置に連結穴６を開け、連結ピン３にこの連結穴６をはめ込んだ状態で両者を連結する。なお、連結穴６は、従来の連結方式の場合と同様、穴あけポンチを用い簡単に開けることができる。【００１２】連結ピン枠７に並べ、バックル１の連結端に近いほうに、押え棒４及び仕切り板９を取り付けた押え枠８を設ける。押え棒４と仕切り板９との間にはベルト５の連結端を通し、仕切り板９とバックル板１との間にはベルト５の自由端（ベルト穴が開いた側、図示していない）を通す。ベルト５の連結穴６が連結ピン３にはめ込まれた状態では、ベルト５は押え棒４と仕切り板９の間に挟まれているため、この状態でベルト５を振り回してもバックル板１がベルト５から外れることはない。【００１３】ベルト５をバックル板１に連結するときは、ベルト５の連結端を押え棒４と仕切り板９の間に挿入し、連結ピン３の頭が越せるように撓ませた状態で奥に進め、連結穴６が連結ピン３の位置に一致したときに、連結穴６を連結ピン３にはめ込む。ベルト５をバックル板１から外すときは、その逆動作を行う。【００１４】ベルト５を身体に着用するときは、ベルト５の自由端をバックル板１の裏面に設けた留めピン２の側から連結ピン枠７の仕切り板９とバックル板１の間に差し込んでいき、身体にフィットした位置でベルト穴を留めピン２にはめ込む。外すときは、その逆動作を行う。
【実施例１】
【００１５】ベルトの素材として、留めピン２にベルト５のベルト穴をはめ込んで着用したとき、支障なく着用できる性状を持ったものを用いる場合は、考案を実施するための最良の形態の項に述べた連結ピン３と押え棒４を用いた連結方式を用いたとき、連結穴６と連結ピン３のはめあいが日常の取り扱いでは分離することがないので、本考案の連結方式を適用することができる。
【実施例２】
【００１６】バックルが縦長で、図２に示したように連結ピン３と押え棒４を離して配置できない場合、図３に示したようにバックル板１の上下端にコの字形に側板１０を配し、側板１０の間に連結ピン３を取り付けた仕切り板９と押え棒４を近接して設ける。仕切り板９と押え棒４の間にはベルト５の連結端を通し、仕切り板９とバックル板１の間にはベルト５の自由端を通す。【００１７】連結ピン３は入口側を斜めに削り斜面をつける。ベルト５の連結端を押え棒４と仕切り板９の間に斜めに傾けて挿入するとき、ベルト５の先端部が連結ピン３の斜面に接触し、ベルト５を撓ませないと奥に進まないような位置関係にそれぞれを配置する。【００１８】ベルト５の連結端を撓ませることによって奥に挿入していき、連結穴６が連結ピン３の位置に達したとき、連結穴６を連結ピン３にはめ込み、ベルト５をバックル板１と平行な状態で連結する。この状態でベルト５は連結穴６が連結ピン３にはめ込まれ押え棒４がベルト５を押え込んでいるので、ベルト５を撓ませない限り連結穴６が連結ピン３から外れることはない。【００１９】ベルト５の連結端が連結ピン３の奥に突き出し、オーバーハングした状態となるが、ベルトの自由端を留めピン２の側からバックル板１と仕切り板９の間に挿入するとき、オーバーハングしたベルト５の連結端を少し持ち上げれば、連結端の先端が自由端挿入の妨げになることはない。【００２０】この例示の方法をとれば、バックル幅を大きく取れない様々な形状、デザインの平板や薄手の立体の類をバックルとして用いることが出来る。
【産業上の利用の可能性】
【００２１】本考案によって、ベルトとバックルの連結、分離が容易で、かつ、連結に必要な道具立てが全てバックル側に用意された連結方式が提案され、バックルデザインの自由度が増し、様々なデザインのバックルを市場に提供することが可能になった。今後、バックルが男のファッションの目玉となる可能性がある。
【図面の簡単な説明】
【００２２】
【図１】バックルの裏面を示した平面図である。
【図２】バックルにベルトの連結端を連結した状態を示したＡ−Ａ断面図である。なお、バックル板１は通常ボディー面に沿って湾曲して造られるが、作図の都合上本図では平板とした。
【図３】バックルにベルト連結端を挿入する直前の状態を示した断面図である。
【符号の説明】
【００２３】１    バックル板
２    留めピン
３    連結ピン
４    押え棒
５    ベルト
６    連結穴
７    連結ピン枠
８    押え枠
９    仕切り板
１０  側板
【図１】
0003132969.tif 000003
【図２】
0003132969.tif 000004
【図３】
0003132969.tif 000005